(57)【要約】【課題】スペーサ着脱だけで容易に梱包・開梱作業ができるとともに、外槽下の実装容積を確保し、ヒートポンプユニット等を実装することができるドラム式洗濯機を得る。【解決手段】箱体１と、箱体１内に収容された外槽２と、外槽２内に回転自在に取り付けられて洗濯物を収容する内槽３と、外槽２の前面から洗濯物を出し入れするための投入口４と、下面に脚１０を有し箱体１の下方に設けられた台座９と、台座９と外槽２との間に設けられて外槽２を弾性支持するダンパ部７とを有し、箱体１の側面に開口部１６を設け、開口部１６を介してスペーサ８を外槽２と台座９との間に着脱できるようにした。【選択図】図１
2007143608.tif 000002
【特許請求の範囲】
【請求項１】
箱体と、該箱体内に収容された外槽と、該外槽内に回転自在に取り付けられて洗濯物を収容する内槽と、前記外槽の前面から洗濯物を出し入れするための投入口と、下面に脚を有し前記箱体の下方に設けられた台座と、該台座と前記外槽との間に設けられて前記外槽を弾性支持するダンパ部とを有し、
前記箱体の側面に開口部を設け、該開口部を介してスペーサを前記外槽と台座との間に着脱できるようにしたことを特徴とするドラム式洗濯機。
【請求項２】
箱体と、該箱体内に収容された外槽と、該外槽内に回転自在に取り付けられて洗濯物を収容する内槽と、前記外槽の前面から洗濯物を出し入れするための投入口と、下面に脚を有し前記箱体の下方に設けられた台座と、該台座と前記外槽との間に設けられて前記外槽を弾性支持するダンパ部とを有し、
前記外槽の両側面にブラケットを取り付け、該ブラケットと前記箱体の側面との間にスペーサを介して前記箱体とブラケットを固定又は解除できるようにしたことを特徴とするドラム式洗濯機。
【請求項３】
箱体と、該箱体内に収容された外槽と、該外槽内に回転自在に取り付けられて洗濯物を収容する内槽と、前記外槽の前面から洗濯物を出し入れするための投入口と、下面に脚を有し前記箱体の下方に設けられて該箱体に固定される台座と、該台座の上面に取り付けられた防振ゴムにより弾性支持された枠体と、該枠体と前記外槽との間に設けられて前記外槽を弾性支持するダンパ部とを有し、
前記箱体の側面に開口部を設け、該開口部を介してスペーサを前記外槽と台座との間に着脱できるようにしたことを特徴とするドラム式洗濯機。
【発明の詳細な説明】
【技術分野】
【０００１】
本発明は、輸送時の輸送荷重等に対する保護手段を備えたドラム式洗濯機に関する。
【背景技術】
【０００２】
従来のドラム式洗濯機は、包装に際して、外槽の下に輸送金具を取り付け、輸送金具の底面形状に合せた底部緩衝体を包装時に取り付けて上下方向の位置決めを行い、外槽が上下揺動した時に床への振動、衝撃荷重を受けるとともに、底部緩衝体によって上方に持ち上げられた外槽の後端部に設けたブラケットを箱体の背面パネルにボルトで固定保持することによって、外槽に加えられる輸送荷重を受けるようにしていた。
【０００３】
例えば、輸送金具と底部緩衝体が設けられ、底部緩衝体は脚部緩衝体と嵌合しており、底ケースに組み込んだ後はお互いに位置ずれしないようにしてあり、ドラム式洗濯機を収納するときに輸送金具を底部緩衝体のくぼみに嵌め込むことで位置決めする。
【０００４】
ドラム式洗濯機における梱包あるいは開梱作業途中において、例えば底部緩衝体の床面からの高さをＨ１、底ケースの床面からの高さをＨ２とすると、Ｈ１は１５０ｍｍから３００ｍｍ程度の範囲であり、Ｈ２は１００ｍｍ前後である。
そして、外槽の下に輸送金具を取り付け、輸送金具の底面形状に合せた底部緩衝体を包装時に取り付けて上下方向の位置決めを行い、上下揺動した時の床への振動・衝撃荷重を受けるとともに、底部緩衝体によって上方に持ち上げられた外槽の後端部に設けたブラケットを箱体の背面からボルトで固定保持することによって、外槽に加えられる輸送荷重を受けるようにしてある（例えば、特許文献１参照）。
【０００５】
【特許文献１】特開２００１−２１９９８７号公報（第９頁、第１図）
【発明の開示】
【発明が解決しようとする課題】
【０００６】
従来のドラム式洗濯機では、外槽の下のスペースで大荷重を受けるための輸送金具及び底部緩衝体を設けるための広い空間が必要であり、部品実装上、大きな制約を受けていた。また、上下方向の荷重に対しては底部緩衝体及びボルトで受けることができるが、包装箱が横倒しになった場合、あるいは角部や稜線部から落下した場合に、底部緩衝体ではほとんど荷重を受け持たず、背面に取り付けたボルトだけで受けることになり、ボルトを含めた周囲部品、例えば背面パネルやブラケットが変形、破損する場合があった。さらに、開梱時に底ケースからドラム式洗濯機を分離するために、底部緩衝体の高さＨ１以上に箱体を持ち上げる必要があるが、重量が７０ｋｇから８０ｋｇもあるドラム式洗濯機の箱体を持ち上げる作業は安全上、問題であった。
【０００７】
すなわち、輸送荷重をダンパ部で受けるため外槽直下の空間を確保しなければならず、包装箱が横倒しあるいは角部や稜線部から落下した場合には十分な角度を確保することができず、さらには底ケースと箱体との分離に際して箱体を高く持ち上げなければならなかった。
【０００８】
本発明は、上記のような課題を解決するためになされたもので、スペーサの着脱だけで容易に梱包・開梱作業ができるとともに、外槽の下の実装容積を確保し、ヒートポンプユニット等を実装することができるドラム式洗濯機を得ることを目的とする。
また、台座に弾性支持された箱体を、簡易的手段で揺動不能に固定保持し、輸送荷重に対して洗濯機を保護するとともに、家宅での据付時に簡単に取り外しすることができるドラム式洗濯機を得ることを目的とする。
【課題を解決するための手段】
【０００９】
本発明に係るドラム式洗濯機は、箱体と、この箱体内に収容された外槽と、この外槽内に回転自在に取り付けられて洗濯物を収容する内槽と、外槽の前面から洗濯物を出し入れするための投入口と、下面に脚を有し箱体の下方に設けられた台座と、この台座と外槽との間に設けられて外槽を弾性支持するダンパ部とを有し、箱体の側面に開口部を設け、この開口部を介して、スペーサを、外槽と台座との間に着脱できるようにしたものである。
【発明の効果】
【００１０】
本発明に係るドラム式洗濯機は、従来のように外槽の下の空間を使わずに、ダンパ部にスペーサを装着するだけで、狭い空間を利用して容易に外槽の固定保持を行うことができるので、外槽下の実装容積を確保し、ヒートポンプユニット等の実装が可能となる。また、輸送時の荷重、振動、衝撃に対して洗濯機を保護するとともに、横倒した場合、あるいは角部や稜線部から落下した場合でも十分な強度を確保することができる。さらに、包装、開梱時に箱体を高く持ち上げる必要がなく、安全に作業することができる。
【発明を実施するための最良の形態】
【００１１】
実施の形態１．
図１は本発明の実施の形態１に係るドラム式洗濯機を包装した状態を示す断面図である。図において、箱体１内に設置された外槽２内には内槽３が回転自在に設けられており、外槽２の前面には洗濯物の投入口４が設けられている。箱体１の下方には台座９が設けられ、台座９の下面には箱体１の重量を支える脚１０が取り付けられている。また、ダンパ部７を外槽２の支持部３３と台座９との間に取り付けることにより、外槽２が台座９に弾性支持されている。箱体１の側面パネル５には、開口部１６と、開口部１６を開閉するための蓋６が設けられ、開口部１６から手を入れて台座９と支持部３３との間にスペーサ８を着脱できるようになっている。そして、箱体１は上部緩衝体１３と脚部緩衝体１４を挟んで外装ケース１１及び底ケース１２に収納され、床面１５に置かれている。
【００１２】
図２は本発明の実施の形態１に係るドラム式洗濯機の断面図、図３は図２を側方からみた断面図である。図において、箱体１の側面パネル５の下方に設けた開口部１６には開放自在に蓋６が設けられており、蓋６を開けて開口部１６を通して台座９と支持部３３との間にスペーサ８が取り付けられるようにしてある。
また、外槽２の後端上部に第１のブラケット１９が取り付けられており、第１のボルト１７、第１のスペーサ１８を用いて締結することにより、箱体１の背面パネル２６に外槽２を固定保持している。
【００１３】
図４は本発明の実施の形態１に係るスペーサ８の分解斜視図である。図において、外槽２の支持部３３の下面に断面コ字状の上ホルダ３０が設けられ、また台座９の上面には断面コ字状の下ホルダ３１が設けられており、ほぼ直方体形状をなすスペーサ８を上ホルダ３０と下ホルダ３１の凹部に嵌め込み、第４のボルト３２を用いて締結している。
【００１４】
次に実施の形態１に係るドラム式洗濯機の包装手順について説明する。図２に示したように、側面パネル５に設けた蓋６を開き、開口部１６から手を入れてダンパ部７に隣接して台座９と支持部３３との間にスペーサ８を取り付ける。スペーサ８の取付方法は、例えば図４に示したように、外槽２の支持部３３の下面に設けられた上ホルダ３０と、台座９の上面に設けられた下ホルダ３１にスペーサ８を嵌め込み、上ホルダ３０及び下ホルダ３１にそれぞれ設けられた図示されていないネジ穴と、スペーサ８の穴に、第４のボルト３２を挿入して締結する。スペーサ８は、ダンパ部７に負荷される外槽２の重量をキャンセルする位置まで外槽２を持ち上げた状態で取り付けられる。また、その高さにおいて、図３に示したように、外槽２の後端上部に設けた第１のブラケット１９の穴位置と、背面パネル２６に設けた穴位置とが一致するようにしており、第１のボルト１７、第１のスペーサ１８を用いて締結することにより背面パネル２６に外槽２を固定保持する。
【００１５】
次に、図１に示したように、脚部緩衝体１４を挟んでドラム式洗濯機を底ケース１２に入れ、上部緩衝体１３を挟んで外装ケース１１を上から被せ、最後に、図示されていない樹脂製バンドを用いて緊縛して包装を完了する。
【００１６】
以上のように、実施の形態１に係るドラム式洗濯機は、従来のように外槽２の下の空間を使わずに、ダンパ部７の近傍にスペーサ８を取り付けるだけで容易に外槽２を固定保持することができるので、外槽２の下の実装容積を確保し、ヒートポンプユニット等の実装が可能となる。また、輸送時の荷重、振動、衝撃に対してドラム式洗濯機を保護するとともに、横倒した場合、あるいは角部や稜線部から落下した場合でも十分な強度を確保することができる。さらに、包装、開梱時に箱体１を高く持ち上げる必要がなく、安全に作業することができる。
【００１７】
実施の形態２．
図５は本発明の実施の形態２に係るドラム式洗濯機の断面図である。なお、実施の形態１と同一部分には同じ符号を付し、説明を省略する。
実施の形態１では、包装時に外槽２の下の空間を使わずに、ダンパ部７の近傍にスペーサ８を取り付けるだけで容易に外槽２の固定保持を行うようにしたが、実施の形態２では、ボルトとスペーサの着脱だけで外槽を固定し解除することができるようにしたものである。
図において、外槽２の両側面に第２のブラケット２９が取り付けられており、第２のボルト２７、第２のスペーサ２８を用いて外槽２を側面パネル５に固定保持している。
【００１８】
次に包装の手順について説明する。図５に示すように、ダンパ部７に負荷される外槽２の重量をキャンセルする位置まで外槽２を持ち上げた状態で、第２のボルト２７、第２のスペーサ２８を用いて外槽２の側面に取り付けられた第２のブラケット２９を側面パネル５に固定する。また、その高さにおいて、図３に示したように、外槽２の後端上部に設けた第１のブラケット１９の穴位置と、背面パネル２６に設けた穴位置とが一致するようにしており、第１のボルト１７、第１のスペーサ１８を用いて締結することにより、背面パネル２６に固定する。これにより、外槽２は箱体１に固定され、保持される。
次に、包装箱に収納する手順は図１に示した場合と同じであり、脚部緩衝体１４を挟んでドラム式洗濯機を底ケース１２に入れ、上部緩衝体１３を挟んで外装ケース１１を上から被せ、最後に、図示されていない樹脂製バンドを用いて緊縛して包装を完了する。
【００１９】
以上のように、実施の形態２に係るドラム式洗濯機は、従来のように外槽２の下の空間を使わずに、側面パネル５からのボルト締結だけで容易に外槽２の固定保持ができるので、外槽２の下の実装容積を確保し、ヒートポンプユニット等の実装が可能となる。また、輸送時の荷重、振動、衝撃に対してドラム式洗濯機を保護するとともに、横倒した場合、あるいは角部や稜線部から落下した場合でも、十分な強度を確保することができる。さらに、包装、開梱時に箱体１を高く持ち上げる必要がなく、安全に作業することができる。なお、実施の形態１に比べると、側面パネル５に開口部１６を設ける必要がないため、側面パネル５の強度上、優れている。
【００２０】
実施の形態３．
図６は本発明の実施の形態３に係るドラム式洗濯機の断面図である。なお、実施の形態１と同一部分には同じ符号を付し、説明を省略する。実施の形態１及び２では、包装時に外槽２の下の空間を使わずに容易に外槽２を箱体１に固定保持することができるが、実施の形態３では、ドラム式洗濯機が、外槽２及びダンパ部７を含む上部と、台座９及び脚１０を含む下部とを、防振ゴム２２で連結した二重防振構造体である場合を示す。
図において、台座９の上面に防振ゴム２２が４箇所に取り付けられており、枠体２３は防振ゴム２２により弾性支持され、ダンパ部７は枠体２３の上面と支持体３３との間に取り付けられ、外槽２を弾性支持している。
【００２１】
図６に示したように、本実施の形態３に係るドラム式洗濯機の包装装置は、外槽２及びダンパ部７を含む上部と、台座９及び脚１０を含む下部とを、防振ゴム２２で連結した二重防振構造となっている。箱体１の側面パネル５、背面パネル２６は台座９に対して隙間を設けて外側を覆っている。本実施の形態３において、外槽２の振動はダンパ部７で減衰させると共に、外槽２を含む箱体１の上部構造全体を防振ゴム２２で更に減衰させることで、箱体１の振動が床面１５に伝播するのを抑制している。
箱体１の上部と下部とを、第３のボルト２０、第３のスペーサ２１を用いる簡易な手順によって、台座９と側面パネル５とを固定保持し、輸送荷重あるいは振動、衝撃に対してドラム式洗濯機を保護するようにしてある。
【００２２】
次に包装の手順について説明する。まず、箱体１の上部と下部とを、第３のボルト２０、第３のスペーサ２１を用いる簡易的方法によって、台座９と側面パネル５とを固定保持する。次に、実施の形態１による手順または実施の形態２による手順のいずれかを用いて、外槽２を固定保持する。
次に、図１に示したように、脚部緩衝体１４を挟んでドラム式洗濯機を底ケース１２に入れ、上部緩衝体１３を挟んで外装ケース１１を上から被せ、最後に図示されていない樹脂製バンドを用いて緊縛して包装を完了する。
【００２３】
以上のように、実施の形態３に係るドラム式洗濯機は、箱体１の上部と下部とを第３のボルト２０、第３のスペーサ２１を用いて締結することにより、台座９と側面パネル５とを固定保持して、輸送荷重あるいは振動、衝撃に対してドラム式洗濯機を保護することができる。
【図面の簡単な説明】
【００２４】
【図１】本発明の実施の形態１に係るドラム式洗濯機を包装した状態を示す断面図である。
【図２】本発明の実施の形態１に係るドラム式洗濯機の断面図である。
【図３】図２を側方からみた断面図である。
【図４】本発明の実施の形態１に係るスペーサの分解斜視図である。
【図５】本発明の実施の形態２に係るドラム式洗濯機の断面図である。
【図６】本発明の実施の形態３に係るドラム式洗濯機の断面図である。
【符号の説明】
【００２５】
１  箱体、２  外槽、３  内槽、４  投入口、５  側面パネル、６  蓋、７  ダンパ部、８  スペーサ、９  台座、１０  脚、１６  開口部、２０  第３のボルト（ボルト）、２２  防振ゴム、２３  枠体、２７  第２のボルト（ボルト）、２８  第２のスペーサ（スペーサ）、３３  支持部。
【図１】
2007143608.tif 000003
【図２】
2007143608.tif 000004
【図３】
2007143608.tif 000005
【図４】
2007143608.tif 000006
【図５】
2007143608.tif 000007
【図６】
2007143608.tif 000008